(57)【要約】【課題】所定時間毎の各番組供給会社の視聴数を正確に測定する。【解決手段】検出装置１１は、各配信事業者の配信サーバがＩＰマルチキャスト方式を用いて番組コンテンツを各家庭内の視聴装置に配信する放送形態であるＩＰ放送における視聴数の測定に用いられ、家庭内のＬＡＮに接続される。検出装置１１は、視聴装置がＬＡＮを介して送受信するパケットを受信する受信部１１１と、受信部１１１が受信したパケットに基づいて、視聴装置が視聴した番組コンテンツの配信元のＩＰアドレスと、当該番組コンテンツの視聴開始時刻と、当該番組コンテンツの視聴終了時刻とを検出する装置側検出部１１２と、装置側検出部１１２による検出結果を集計センタに送信する送信部１１５とを備える。【選択図】図２
2010178311.tif 000002
【特許請求の範囲】
【請求項１】
各配信事業者の配信サーバがＩＰマルチキャスト方式を用いて番組コンテンツを各家庭内の視聴装置に配信する放送形態であるＩＰ放送における視聴数を測定するＩＰ放送視聴測定システムであって、
配信事業者に番組コンテンツを供給する番組供給会社と、前記供給された番組コンテンツを配信する配信サーバのＩＰアドレスとを対応付けた配信元情報を記憶する配信元情報記憶部と、
各家庭内のＬＡＮに接続され、前記視聴装置が視聴した番組コンテンツの配信元のＩＰアドレスと、前記視聴した番組コンテンツの視聴開始時刻と、前記視聴した番組コンテンツの視聴終了時刻とを検出する検出装置と、
前記配信元情報記憶部が記憶する前記配信元情報を用いて、前記検出装置によって検出された前記ＩＰアドレスに対応する番組供給会社を特定する番組供給会社特定部と、
前記検出装置と通信可能に構成され、前記検出装置によって検出された前記視聴開始時刻及び前記視聴終了時刻と、前記番組供給会社特定部によって特定された前記番組供給会社とに基づいて、所定時間毎の各番組供給会社の前記視聴数を集計する集計センタと
を備え、
前記配信元情報記憶部及び前記番組供給会社特定部は、前記検出装置又は前記集計センタに設けられるＩＰ放送視聴測定システム。
【請求項２】
前記検出装置は、
前記視聴装置が前記ＬＡＮを介して送受信するパケットを受信する受信部と、
前記受信部が受信したパケットに基づいて、前記配信元のＩＰアドレスと、前記視聴開始時刻と、前記視聴終了時刻とを検出する装置側検出部と、
前記装置側検出部による検出結果を前記集計センタに送信する送信部と
を備える請求項１に記載のＩＰ放送視聴測定システム。
【請求項３】
前記受信部は、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信し、
前記装置側検出部は、前記配信開始要求を受信したタイミングに対応する時刻を前記視聴開始時刻として検出し、前記配信終了要求を受信したタイミングに対応する時刻を前記視聴終了時刻として検出する請求項２に記載のＩＰ放送視聴測定システム。
【請求項４】
前記集計センタは、
各番組供給会社の番組コンテンツを順次選択して視聴するセンタ側視聴装置が視聴する番組コンテンツの配信元のＩＰアドレスを検出するセンタ側検出部と、
前記センタ側視聴装置が番組コンテンツを視聴する際に前記センタ側検出部が検出するＩＰアドレスと、選択されている番組供給会社とを対応付けることにより、前記配信元情報を生成、又は定期的に更新する配信元情報管理部と
を備える請求項１〜請求項３の何れか一項に記載のＩＰ放送視聴測定システム。
【請求項５】
前記配信元情報管理部は、前記配信元情報を更新する際、又は、前記視聴数を集計する際に、前記配信元情報において同一の番組供給会社に異なるＩＰアドレスが対応付けられている場合、前記異なるＩＰアドレスをグループ化する請求項４に記載のＩＰ放送視聴測定システム。
【請求項６】
前記配信元情報記憶部は、前記配信サーバのポート番号を前記配信元情報に含めて記憶し、
前記検出装置は、前記配信元のＩＰアドレスに加え、前記配信元のポート番号を検出し、
前記番組供給会社特定部は、前記配信元情報記憶部が記憶する前記配信元情報を用いて、前記検出装置によって検出された前記ＩＰアドレス及び前記ポート番号に対応する前記番組供給会社を特定する請求項１〜請求項５の何れか一項に記載のＩＰ放送視聴測定システム。
【請求項７】
各配信事業者の配信サーバがＩＰマルチキャスト方式を用いて番組コンテンツを各家庭内の視聴装置に配信する放送形態であるＩＰ放送における視聴数の測定に用いられ、家庭内のＬＡＮに接続される検出装置であって、
前記視聴装置がＬＡＮを介して送受信するパケットを受信する受信部と、
前記受信部が受信したパケットに基づいて、前記視聴装置が視聴した番組コンテンツの配信元のＩＰアドレスと、前記視聴した番組コンテンツの視聴開始時刻と、前記視聴した番組コンテンツの視聴終了時刻とを検出する装置側検出部と、
前記装置側検出部による検出結果を集計センタに送信する送信部と
を備える検出装置。
【請求項８】
前記受信部は、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信し、
前記装置側検出部は、前記配信開始要求を受信したタイミングに対応する時刻を前記視聴開始時刻として検出し、前記配信終了要求を受信したタイミングに対応する時刻を前記視聴終了時刻として検出する請求項７に記載の検出装置。
【請求項９】
配信事業者に番組コンテンツを供給する番組供給会社と、前記供給された番組コンテンツを配信する配信サーバのＩＰアドレスとを対応付けた配信元情報を記憶する配信元情報記憶部と、
前記配信元情報記憶部が記憶する前記配信元情報を用いて、前記装置側検出部によって検出された前記ＩＰアドレスに対応する番組供給会社を特定する番組供給会社特定部と
を備える請求項７又は請求項８に記載の検出装置。
【請求項１０】
前記装置側検出部は、前記配信元のＩＰアドレスに加え、前記配信元のポート番号を検出する請求項７〜請求項９の何れか一項に記載の検出装置。
【請求項１１】
各配信事業者の配信サーバがＩＰマルチキャスト方式を用いて番組コンテンツを各家庭内の視聴装置に配信する放送形態であるＩＰ放送における視聴数の測定に用いられる集計センタであって、
各家庭内のＬＡＮに接続され、前記視聴装置が視聴した番組コンテンツの配信元のＩＰアドレスと、前記視聴した番組コンテンツの視聴開始時刻と、前記視聴した番組コンテンツの視聴終了時刻とを検出する検出装置における検出結果を受信する受信部と、
配信事業者に番組コンテンツを供給する番組供給会社と、前記供給された番組コンテンツを配信する配信サーバのＩＰアドレスとを対応付けた配信元情報を記憶する配信元情報記憶部と、
前記配信元情報記憶部が記憶する前記配信元情報を用いて、前記検出装置によって検出された前記ＩＰアドレスに対応する番組供給会社を特定する番組供給会社特定部と、
前記検出装置によって検出された前記視聴開始時刻及び前記視聴終了時刻と、前記番組供給会社特定部によって特定された前記番組供給会社とに基づいて、所定時間毎の各番組供給会社の前記視聴数を集計する集計処理部と
を備える集計センタ。
【請求項１２】
各番組供給会社の番組コンテンツを順次選択して視聴するセンタ側視聴装置が視聴する番組コンテンツの配信元のＩＰアドレスを検出するセンタ側検出部と、
前記センタ側視聴装置が番組コンテンツを視聴する際に前記センタ側検出部が検出するＩＰアドレスと、選択されている番組供給会社とを対応付けることにより、前記配信元情報を生成、又は定期的に更新する配信元情報管理部と
を備える請求項１１に記載の集計センタ。
【請求項１３】
前記配信元情報管理部は、前記配信元情報を更新する際、又は、前記視聴数を集計する際に、前記配信元情報において同一の番組供給会社に異なるＩＰアドレスが対応付けられている場合、前記異なるＩＰアドレスをグループ化する請求項１２に記載の集計センタ。
【請求項１４】
前記配信元情報記憶部は、前記配信サーバのポート番号を前記配信元情報に含めて記憶し、
前記番組供給会社特定部は、前記配信元情報記憶部が記憶する前記配信元情報を用いて、前記検出装置によって検出された前記ＩＰアドレス及び前記配信元のポート番号に対応する前記番組供給会社を特定する請求項１１〜請求項１３の何れか一項に記載の集計センタ。
【請求項１５】
各配信事業者の配信サーバがＩＰマルチキャスト方式を用いて番組コンテンツを各家庭内の視聴装置に配信する放送形態であるＩＰ放送における視聴数を測定するＩＰ放送視聴測定方法であって、
配信事業者に番組コンテンツを供給する番組供給会社と、前記供給された番組コンテンツを配信する配信サーバのＩＰアドレスとを対応付けた配信元情報を記憶するステップと、
各家庭内のＬＡＮに接続された検出装置が、前記視聴装置が視聴した番組コンテンツの配信元のＩＰアドレスと、前記視聴した番組コンテンツの視聴開始時刻と、前記視聴した番組コンテンツの視聴終了時刻とを検出するステップと、
前記記憶した配信元情報を用いて、前記検出装置によって検出された前記ＩＰアドレスに対応する番組供給会社を特定するステップと、
前記検出装置と通信可能に構成された集計センタが、前記検出装置によって検出された前記視聴開始時刻及び前記視聴終了時刻と、前記特定するステップにおいて特定された番組供給会社とに基づいて、所定時間毎の各番組供給会社の前記視聴数を集計するステップと
を備え、
前記記憶するステップ及び前記特定するステップは、前記検出装置又は前記集計センタにおいて実行されるＩＰ放送視聴測定方法。
【請求項１６】
前記検出装置が、前記視聴装置が前記ＬＡＮを介して送受信するパケットを受信するステップと、
前記検出装置が、前記受信したパケットに基づいて、前記配信元のＩＰアドレスと、前記視聴開始時刻と、前記視聴終了時刻とを検出するステップと、
前記検出装置が、前記検出するステップによる検出結果を前記集計センタに送信するステップと
を備える請求項１５に記載のＩＰ放送視聴測定方法。
【請求項１７】
前記受信するステップでは、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信するステップと、
前記検出するステップでは、前記配信開始要求を受信したタイミングに対応する時刻を前記視聴開始時刻として検出し、前記配信終了要求を受信したタイミングに対応する時刻を前記視聴終了時刻として検出する請求項１６に記載のＩＰ放送視聴測定方法。
【請求項１８】
前記集計センタが、各番組供給会社の番組コンテンツを順次選択して視聴するセンタ側視聴装置が視聴する番組コンテンツの配信元のＩＰアドレスを検出するステップと、
前記集計センタが、前記センタ側視聴装置が番組コンテンツを視聴する際に検出されるＩＰアドレスと、選択されている番組供給会社とを対応付けることにより、前記配信元情報を生成、又は定期的に更新するステップと
を備える請求項１５〜請求項１７の何れか一項に記載のＩＰ放送視聴測定方法。
【請求項１９】
前記配信元情報を更新する際、又は、前記視聴数を集計する際に、前記配信元情報において同一の番組供給会社に異なるＩＰアドレスが対応付けられている場合、前記異なるＩＰアドレスをグループ化するステップを備える請求項１８に記載のＩＰ放送視聴測定方法。
【請求項２０】
前記配信元情報を記憶するステップでは、前記配信サーバのポート番号を前記配信元情報に含めて記憶し、
前記検出装置は、前記検出するステップにおいて、前記配信元のＩＰアドレスに加え、前記配信元のポート番号を検出し、
前記特定するステップでは、前記配信元情報を用いて、前記検出装置によって検出された前記ＩＰアドレス及び前記ポート番号に対応する前記番組供給会社を特定する請求項１５〜請求項１９の何れか一項に記載のＩＰ放送視聴測定方法。
【発明の詳細な説明】
【技術分野】
【０００１】
本発明は、ＩＰ放送の視聴状況を測定するＩＰ放送視聴測定システム、検出装置、集計センタ、及びＩＰ放送視聴測定方法に関する。
【背景技術】
【０００２】
従来、テレビ放送において、どの放送局の番組コンテンツが、いつ、どれくらいの人に視聴されたかを表す指標値として、視聴率が広く用いられている。一般的に、視聴率は、所定時間毎（例えば１分毎）の各放送局の視聴数（例えば視聴世帯数）を集計した後、所定時間毎の各放送局の視聴率が算出される。
【０００３】
近年では、番組コンテンツの配信にインターネット・プロトコル（以下、ＩＰ）が用いられる新たな放送形態であるＩＰ放送が注目されている。家庭内の視聴装置は、配信事業者の配信サーバからＩＰマルチキャスト方式を用いて配信される番組コンテンツを視聴する。なお、以下において「視聴」とは、視聴装置が番組コンテンツを受信及び再生することを意味する。
【０００４】
このようなＩＰ放送において、インターネットなどのＩＰ網に設けられるルータ装置が保持するルーティングテーブルを利用して、視聴率と同等な指標値を得る方法が提案されている（特許文献１及び２参照）。具体的には、当該方法では、ルーティングテーブルにおいて特定の配信サーバのＩＰアドレス（マルチキャストアドレス）と対応付けられた中継先の数が視聴数として測定される。
【先行技術文献】
【特許文献】
【０００５】
【特許文献１】特開２００７−１８０７４３号公報
【特許文献２】特開２００８−１７７７１９号公報
【発明の概要】
【発明が解決しようとする課題】
【０００６】
ところで、ＩＰ放送において配信事業者に番組コンテンツを供給する番組供給会社（サプライヤ）は、テレビ放送における放送局に相当する。したがって、テレビ放送における視聴率と同等な指標値をＩＰ放送において求めようとした場合、所定時間毎の各番組供給会社の視聴数を測定する必要がある。
【０００７】
しかしながら、ＩＰ放送では、複数の配信サーバが、同一の番組供給会社から供給された番組コンテンツを配信する場合がある。このような場合、特許文献１及び２に記載の方法では、視聴数を配信サーバ単位で測定するため、当該番組供給会社が供給する番組コンテンツの視聴数が分散してしまい、所定時間毎の各番組供給会社の視聴数を正確に測定できないという問題があった。
【０００８】
そこで、本発明は、ＩＰ放送において、所定時間毎の各番組供給会社の視聴数を正確に測定できるＩＰ放送視聴測定システム、検出装置、集計センタ、及びＩＰ放送視聴測定方法を提供することを目的とする。
【課題を解決するための手段】
【０００９】
上述した課題を解決するために、本発明は以下のような特徴を有している。まず、本発明の第１の特徴は、各配信事業者の配信サーバ（配信サーバ３１，３２，３３）がＩＰマルチキャスト方式を用いて番組コンテンツを各家庭内の視聴装置（視聴装置１３，１４）に配信する放送形態であるＩＰ放送における視聴数を測定するＩＰ放送視聴測定システムであって、配信事業者に番組コンテンツを供給する番組供給会社と、前記供給された番組コンテンツを配信する配信サーバのＩＰアドレスとを対応付けた配信元情報を記憶する配信元情報記憶部（配信元情報記憶部２７）と、各家庭内のＬＡＮに接続され、前記視聴装置が視聴した番組コンテンツの配信元のＩＰアドレスと、前記視聴した番組コンテンツの視聴開始時刻と、前記視聴した番組コンテンツの視聴終了時刻とを検出する検出装置（検出装置１１）と、前記配信元情報記憶部が記憶する前記配信元情報を用いて、前記検出装置によって検出された前記ＩＰアドレスに対応する番組供給会社を特定する番組供給会社特定部（番組供給会社特定部２８）と、前記検出装置と通信可能に構成され、前記検出装置によって検出された前記視聴開始時刻及び前記視聴終了時刻と、前記番組供給会社特定部によって特定された前記番組供給会社とに基づいて、所定時間毎の各番組供給会社の前記視聴数を集計する集計センタ（集計センタ２）とを備え、前記配信元情報記憶部及び前記番組供給会社特定部は、前記検出装置又は前記集計センタに設けられることを要旨とする。
【００１０】
このようなＩＰ放送視聴測定システムによれば、同一の番組供給会社から供給された番組コンテンツを複数の配信サーバが配信するような場合でも、視聴数を番組供給会社単位で測定することができるため、所定時間毎の各番組供給会社の視聴数を正確に測定できる。
【００１１】
本発明の第２の特徴は、本発明の第１の特徴に係り、前記検出装置は、前記視聴装置が前記ＬＡＮを介して送受信するパケットを受信する受信部（受信部１１１）と、前記受信部が受信したパケットに基づいて、前記配信元のＩＰアドレスと、前記視聴開始時刻と、前記視聴終了時刻とを検出する装置側検出部（装置側検出部１１２）と、前記装置側検出部による検出結果を前記集計センタに送信する送信部（送信部１１５）とを備えることを要旨とする。
【００１２】
本発明の第３の特徴は、本発明の第２の特徴に係り、前記受信部は、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信し、前記装置側検出部は、前記配信開始要求を受信したタイミングに対応する時刻を前記視聴開始時刻として検出し、前記配信終了要求を受信したタイミングに対応する時刻を前記視聴終了時刻として検出することを要旨とする。
【００１３】
本発明の第４の特徴は、本発明の第１〜第３の何れかの特徴に係り、前記集計センタは、各番組供給会社の番組コンテンツを順次選択して視聴するセンタ側視聴装置（センタ側視聴装置２２）が視聴する番組コンテンツの配信元のＩＰアドレスを検出するセンタ側検出部（センタ側検出部２５）と、前記センタ側視聴装置が番組コンテンツを視聴する際に前記センタ側検出部が検出するＩＰアドレスと、選択されている番組供給会社とを対応付けることにより、前記配信元情報を生成、又は定期的に更新する配信元情報管理部（配信元情報管理部２６）とを備えることを要旨とする。
【００１４】
本発明の第５の特徴は、本発明の第４の特徴に係り、前記配信元情報管理部は、前記配信元情報を更新する際、又は、前記視聴数を集計する際に、前記配信元情報において同一の番組供給会社に異なるＩＰアドレスが対応付けられている場合、前記異なるＩＰアドレスをグループ化することを要旨とする。
【００１５】
本発明の第６の特徴は、本発明の第１〜第５の何れかの特徴に係り、前記配信元情報記憶部は、前記配信サーバのポート番号を前記配信元情報に含めて記憶し、前記検出装置は、前記配信元のＩＰアドレスに加え、前記配信元のポート番号を検出し、前記番組供給会社特定部は、前記配信元情報記憶部が記憶する前記配信元情報を用いて、前記検出装置によって検出された前記ＩＰアドレス及び前記ポート番号に対応する前記番組供給会社を特定することを要旨とする。
【００１６】
本発明の第７の特徴は、各配信事業者の配信サーバ（配信サーバ３１，３２，３３）がＩＰマルチキャスト方式を用いて番組コンテンツを各家庭内の視聴装置（視聴装置１３，１４）に配信する放送形態であるＩＰ放送における視聴数の測定に用いられ、家庭内のＬＡＮ（ＬＡＮ１２）に接続される検出装置（検出装置１１）であって、前記視聴装置がＬＡＮを介して送受信するパケットを受信する受信部（受信部１１１）と、前記受信部が受信したパケットに基づいて、前記視聴装置が視聴した番組コンテンツの配信元のＩＰアドレスと、前記視聴した番組コンテンツの視聴開始時刻と、前記視聴した番組コンテンツの視聴終了時刻とを検出する装置側検出部（装置側検出部１１２）と、前記装置側検出部による検出結果を集計センタに送信する送信部（送信部１１５）とを備える検出装置ことを要旨とする。
【００１７】
本発明の第８の特徴は、本発明の第７の特徴に係り、前記受信部は、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信し、前記装置側検出部は、前記配信開始要求を受信したタイミングに対応する時刻を前記視聴開始時刻として検出し、前記配信終了要求を受信したタイミングに対応する時刻を前記視聴終了時刻として検出することを要旨とする。
【００１８】
本発明の第９の特徴は、本発明の第７又は第８の特徴に係り、配信事業者に番組コンテンツを供給する番組供給会社と、前記供給された番組コンテンツを配信する配信サーバのＩＰアドレスとを対応付けた配信元情報を記憶する配信元情報記憶部（配信元情報記憶部１１６）と、前記配信元情報記憶部が記憶する前記配信元情報を用いて、前記装置側検出部によって検出された前記ＩＰアドレスに対応する番組供給会社を特定する番組供給会社特定部（番組供給会社特定部１１７）とを備えることを要旨とする。
【００１９】
本発明の第１０の特徴は、本発明の第７〜第９の何れかの特徴に係り、前記装置側検出部は、前記配信元のＩＰアドレスに加え、前記配信元のポート番号を検出することを要旨とする。
【００２０】
本発明の第１１の特徴は、各配信事業者の配信サーバ（配信サーバ３１，３２，３３）がＩＰマルチキャスト方式を用いて番組コンテンツを各家庭内の視聴装置（視聴装置１３，１４）に配信する放送形態であるＩＰ放送における視聴数の測定に用いられる集計センタ（集計センタ２）であって、各家庭内のＬＡＮ（ＬＡＮ１２）に接続され、前記視聴装置が視聴した番組コンテンツの配信元のＩＰアドレスと、前記視聴した番組コンテンツの視聴開始時刻と、前記視聴した番組コンテンツの視聴終了時刻とを検出する検出装置（検出装置１１）における検出結果を受信する受信部（受信部２１）と、配信事業者に番組コンテンツを供給する番組供給会社と、前記供給された番組コンテンツを配信する配信サーバのＩＰアドレスとを対応付けた配信元情報を記憶する配信元情報記憶部（配信元情報記憶部２７）と、前記配信元情報記憶部が記憶する前記配信元情報を用いて、前記検出装置によって検出された前記ＩＰアドレスに対応する番組供給会社を特定する番組供給会社特定部（番組供給会社特定部２８）と、前記検出装置によって検出された前記視聴開始時刻及び前記視聴終了時刻と、前記番組供給会社特定部によって特定された前記番組供給会社とに基づいて、所定時間毎の各番組供給会社の前記視聴数を集計する集計処理部（集計処理部２９）とを備えることを要旨とする。
【００２１】
本発明の第１２の特徴は、本発明の第１１の特徴に係り、各番組供給会社の番組コンテンツを順次選択して視聴するセンタ側視聴装置（センタ側視聴装置２２）が視聴する番組コンテンツの配信元のＩＰアドレスを検出するセンタ側検出部（センタ側検出部２５）と、前記センタ側視聴装置が番組コンテンツを視聴する際に前記センタ側検出部が検出するＩＰアドレスと、選択されている番組供給会社とを対応付けることにより、前記配信元情報を生成、又は定期的に更新する配信元情報管理部（配信元情報管理部２６）とを備えることを要旨とする。
【００２２】
本発明の第１３の特徴は、本発明の第１２の特徴に係り、前記配信元情報管理部は、前記配信元情報を更新する際、又は、前記視聴数を集計する際に、前記配信元情報において同一の番組供給会社に異なるＩＰアドレスが対応付けられている場合、前記異なるＩＰアドレスをグループ化することを要旨とする。
【００２３】
本発明の第１４の特徴は、本発明の第１１〜第１３の何れかの特徴に係り、前記配信元情報記憶部は、前記配信サーバのポート番号を前記配信元情報に含めて記憶し、前記番組供給会社特定部は、前記配信元情報記憶部が記憶する前記配信元情報を用いて、前記検出装置によって検出された前記ＩＰアドレス及び前記配信元のポート番号に対応する前記番組供給会社を特定することを要旨とする。
【００２４】
本発明の第１５の特徴は、各配信事業者の配信サーバがＩＰマルチキャスト方式を用いて番組コンテンツを各家庭内の視聴装置に配信する放送形態であるＩＰ放送における視聴数を測定するＩＰ放送視聴測定方法であって、配信事業者に番組コンテンツを供給する番組供給会社と、前記供給された番組コンテンツを配信する配信サーバのＩＰアドレスとを対応付けた配信元情報を記憶するステップと、各家庭内のＬＡＮに接続された検出装置が、前記視聴装置が視聴した番組コンテンツの配信元のＩＰアドレスと、前記視聴した番組コンテンツの視聴開始時刻と、前記視聴した番組コンテンツの視聴終了時刻とを検出するステップと、前記記憶した配信元情報を用いて、前記検出装置によって検出された前記ＩＰアドレスに対応する番組供給会社を特定するステップと、前記検出装置と通信可能に構成された集計センタが、前記検出装置によって検出された前記視聴開始時刻及び前記視聴終了時刻と、前記特定するステップにおいて特定された番組供給会社とに基づいて、所定時間毎の各番組供給会社の前記視聴数を集計するステップとを備え、前記記憶するステップ及び前記特定するステップは、前記検出装置又は前記集計センタにおいて実行されることを要旨とする。
【００２５】
本発明の第１６の特徴は、本発明の第１５の特徴に係り、前記検出装置が、前記視聴装置が前記ＬＡＮを介して送受信するパケットを受信するステップと、前記検出装置が、前記受信したパケットに基づいて、前記配信元のＩＰアドレスと、前記視聴開始時刻と、前記視聴終了時刻とを検出するステップと、前記検出装置が、前記検出するステップによる検出結果を前記集計センタに送信するステップとを備えることを要旨とする。
【００２６】
本発明の第１７の特徴は、本発明の第１６の特徴に係り、前記受信するステップでは、前記視聴装置からＩＰ網に向けて送信され、番組コンテンツの配信開始を要求する配信開始要求と、前記視聴装置から前記ＩＰ網に向けて送信され、番組コンテンツの配信終了を要求する配信終了要求とを受信するステップと、前記検出するステップでは、前記配信開始要求を受信したタイミングに対応する時刻を前記視聴開始時刻として検出し、前記配信終了要求を受信したタイミングに対応する時刻を前記視聴終了時刻として検出することを要旨とする。
【００２７】
本発明の第１８の特徴は、本発明の第１５〜第１７の何れかの特徴に係り、前記集計センタが、各番組供給会社の番組コンテンツを順次選択して視聴するセンタ側視聴装置が視聴する番組コンテンツの配信元のＩＰアドレスを検出するステップと、前記集計センタが、前記センタ側視聴装置が番組コンテンツを視聴する際に検出されるＩＰアドレスと、選択されている番組供給会社とを対応付けることにより、前記配信元情報を生成、又は定期的に更新するステップとを備えることを要旨とする。
【００２８】
本発明の第１９の特徴は、本発明の第１８の特徴に係り、前記配信元情報を更新する際、又は、前記視聴数を集計する際に、前記配信元情報において同一の番組供給会社に異なるＩＰアドレスが対応付けられている場合、前記異なるＩＰアドレスをグループ化するステップを備えることを要旨とする。
【００２９】
本発明の第２０の特徴は、本発明の第１５〜第１９の何れかの特徴に係り、前記配信元情報を記憶するステップでは、前記配信サーバのポート番号を前記配信元情報に含めて記憶し、前記検出装置は、前記検出するステップにおいて、前記配信元のＩＰアドレスに加え、前記配信元のポート番号を検出し、前記特定するステップでは、前記配信元情報を用いて、前記検出装置によって検出された前記ＩＰアドレス及び前記ポート番号に対応する前記番組供給会社を特定することを要旨とする。
【発明の効果】
【００３０】
本発明によれば、ＩＰ放送において、所定時間毎の各番組供給会社の視聴数を正確に測定できるＩＰ放送視聴測定システム、検出装置、集計センタ、及びＩＰ放送視聴測定方法を提供できる。
【図面の簡単な説明】
【００３１】
【図１】本発明の実施形態に係るＩＰ放送視聴測定システムの概略構成図である。
【図２】本発明の実施形態に係る検出装置の構成を示す機能ブロック図である。
【図３】視聴情報の一例を示す図である。
【図４】本発明の実施形態に係る集計センタの構成を示す機能ブロック図である。
【図５】本発明の実施形態に係るＩＰ放送視聴測定システムの概略動作を示す動作シーケンス図である。
【図６】配信元情報の更新処理フローを示すフローチャートである。
【図７】重複チェック処理について説明するための図である。
【図８】重複チェック処理について説明するための図である。
【図９】サプライヤ視聴率の出力処理フローを示すフローチャートである。
【図１０】中間データの一例を示す図である。
【図１１】調査レポートの一例を示す図である。
【図１２】その他の実施形態に係る検出装置の構成を示す機能ブロック図である。
【発明を実施するための形態】
【００３２】
次に、図面を参照して、本発明の実施形態を説明する。具体的には、（１）ＩＰ放送視聴測定システムの全体概略構成、（２）検出装置の構成、（３）収集センタの構成、（４）ＩＰ放送視聴測定システムの動作、（５）効果、（６）その他の実施形態について説明する。以下の実施形態における図面の記載において、同一又は類似の部分には同一又は類似の符号を付している。
【００３３】
（１）ＩＰ放送視聴測定システムの全体概略構成
図１は、本実施形態に係るＩＰ放送視聴測定システムの概略構成図である。
【００３４】
図１に示すように、本実施形態に係るＩＰ放送視聴測定システムは、配信事業者の配信サーバ３１，３２，３３がＩＰマルチキャスト方式を用いて番組コンテンツを各家庭（以下、「調査世帯」と称する）１内の視聴装置１３，１４にＩＰ網を介して配信する放送形態であるＩＰ放送に適用される。ここで番組コンテンツとは、映像及び音声を含むテレビ番組のコンテンツである。
【００３５】
配信サーバ３１，３２，３３は、それぞれ異なる配信事業者によって管理される。配信事業者には、番組供給会社から番組コンテンツが供給される。配信サーバ３１，３２，３３は、それぞれ異なるマルチキャストアドレスを用いて番組コンテンツを配信する。
【００３６】
調査世帯１内に設置された視聴装置１３，１４は、調査世帯１内のＬＡＮ１２（いわゆる、ホームネットワーク）を介してインターネット５０に接続される。視聴装置１３，１４は、配信サーバ３１，３２，３３が配信する番組コンテンツを視聴可能な専用装置である。なお、ＬＡＮ１２とインターネット５０との間の接続形態は、例えばFTTH,ADSL,又はCATVである。
【００３７】
ＬＡＮ１２には、視聴装置１３，１４における視聴状況を検出するための検出装置１１が接続されている。検出装置１１は、ＬＡＮ１２を常時監視し、ＬＡＮ１２上を流れるＩＰパケットを受信し、受信したＩＰパケットに基づいて各種情報を検出する。検出装置１１による検出結果（以下、適宜「視聴情報」と称する）は、集計センタ２に送信される。検出装置１１から集計センタ２への送信手段としては、家庭の電話回線網、携帯電話網又はPHS網などの無線通信網、もしくはインターネットなどのＩＰ網などが使用できる。
【００３８】
集計センタ２は、これらの通信網の何れかを介して各家庭１の検出装置１１と通信可能に構成されている。集計センタ２は、各家庭１の検出装置１１から視聴情報を収集し、収集した視聴情報に基づいて各番組供給会社の視聴数を測定した後、各番組供給会社の視聴率（以下、「サプライヤ視聴率」と称する）を算出する。集計センタ２の機能は、１つの装置を用いて実現されてもよく、複数の装置を用いて実現されてもよい。
【００３９】
（２）検出装置の構成
図２は、検出装置１１の構成を示す機能ブロック図である。
【００４０】
図２に示すように、検出装置１１は、受信部１１１と、装置側検出部１１２と、時計部１１３と、視聴情報記憶部１１４と、送信部１１５とを有する。受信部１１１及び送信部１１５は、例えば、ＬＡＮ１２を構成するブロードバンドルータ（不図示）に接続され、ミラーポート機能の付いたスイッチングハブを用いて構成される。
【００４１】
受信部１１１は、視聴装置１３，１４がＬＡＮ１２を介して送受信するパケットを受信する。装置側検出部１１２は、受信部１１１が受信したパケットに基づいて、番組コンテンツの配信元のＩＰアドレスと、当該番組コンテンツの視聴開始時刻と、当該番組コンテンツの視聴終了時刻とを検出する。装置側検出部１１２による検出結果は、視聴情報記憶部１１４に一旦記憶される。視聴情報記憶部１１４は、不揮発メモリで構成され、あらかじめ固有の世帯番号が設定されている。送信部１１５は、装置側検出部１１２による検出結果と世帯番号とを視聴情報記憶部１１４から取得して集計センタ２に送信する。
【００４２】
具体的には、受信部１１１は、視聴装置１３，１４からインターネット５０に向けて送信される配信開始要求及び配信終了要求を受信する。配信開始要求及び配信終了要求は、例えばICMPv6に従ったメッセージである。装置側検出部１１２は、時計部１１３を参照し、配信開始要求を受信したタイミングに対応する時刻を視聴開始時刻として検出し、配信終了要求を受信したタイミングに対応する時刻を視聴終了時刻として検出する。
【００４３】
例えば、配信事業者Ａの配信サーバ31がIPv6のIPマルチキャストでのIP放送をしている場合、視聴装置１３では、視聴者が視聴ソフトウェアのメニュー画面を操作することで、IP放送の視聴が開始される。この際、視聴装置１３は、ICMPv6による配信開始要求により視聴を開始し、ICMPv6による配信終了要求により視聴を終了する。
【００４４】
検出装置１１は、ICMPv6命令を常に監視する事により、時計部１１３の時刻で、視聴開始時刻、視聴終了時刻、配信事業者A,B,Cの配信サーバ３１，３２，３３のＩＰアドレス（マルチキャストアドレス、配信元アドレス）、ポート番号、及び視聴に使用している視聴装置番号を検出し、視聴情報として視聴情報記憶部１１４に保存する。送信部１１５は、視聴情報記憶部１１４に保存している視聴情報を集計センタ２に定期的に送信する。
【００４５】
図３は、視聴情報の一例を示す図である。図３の例では、視聴情報は、ＩＰアドレス（ここでは、配信元アドレス）と、視聴開始時刻と、視聴終了時刻と、視聴開始時刻、視聴終了時刻とが対応付けられている。また、ＩＰアドレスには、配信元のポート番号も含まれている。
【００４６】
（３）収集センタの構成
図４は、集計センタ２の構成を示す機能ブロック図である。
【００４７】
図４に示すように、集計センタ２は、受信部２１と、センタ側視聴装置２２と、送信部２３と、電子番組表（以下、ＥＰＧ）管理部２４と、センタ側検出部２５と、配信元情報管理部２６と、配信元情報記憶部２７と、番組供給会社特定部２８と、集計処理部２９と、中間データ記憶部３０と、入力部２０ａと、出力部２０ｂとを有する。
【００４８】
受信部２１は、視聴情報及び世帯番号を検出装置１１から受信する。受信部２１及び送信部２３は、例えば、ブロードバンドルータ（不図示）に接続され、ミラーポート機能の付いたスイッチングハブを用いて構成される。センタ側視聴装置２２は、調査世帯１内の視聴装置１３，１４と同等の機能を有し、配信元情報の生成及び更新のために用いられる。センタ側視聴装置２２は、各番組供給会社の番組コンテンツを順次選択して視聴する。送信部２３は、センタ側視聴装置２２からのICMPv6命令をインターネット５０に向けて送信する。
【００４９】
ＥＰＧ管理部２４は、センタ側視聴装置２２が受信するＥＰＧを取得し、ＥＰＧから番組供給会社の識別子を抽出する。本実施形態では、番組供給会社の識別子として、番組供給会社の名前である番組供給会社名を用いる。入力部２０ａは、オペレータからの入力を受け付けるキーボード又はマウスなどであり、番組供給会社名の抽出が不可である場合などに使用される。
【００５０】
センタ側検出部２５は、検出装置１１の装置側検出部１１２と同等の機能を有し、配信サーバ３１，３２，３３からセンタ側視聴装置２２が受信するパケットを常に監視している。センタ側検出部２５は、センタ側視聴装置２２が視聴する番組コンテンツの配信元のＩＰアドレスに加え、当該配信元のポート番号を検出してもよい。
【００５１】
配信元情報管理部２６は、センタ側視聴装置２２が番組コンテンツを視聴する際にセンタ側検出部２５が検出するＩＰアドレスと、選択されている番組供給会社とを対応付けることにより、配信元情報を生成、又は定期的に更新する。
【００５２】
配信元情報記憶部２７は、配信元情報管理部２６によって生成された配信元情報を記憶する。配信元情報記憶部２７は、配信サーバのＩＰアドレスに加え、ポート番号を配信元情報に含めて記憶してもよい。
【００５３】
配信元情報管理部２６は、配信元情報を更新する際、又は、視聴数を集計する際に、配信元情報において同一の番組供給会社に異なるＩＰアドレスが対応付けられている場合、当該異なるＩＰアドレスをグループ化する。
【００５４】
番組供給会社特定部２８は、配信元情報記憶部２７が記憶する配信元情報を用いて、検出装置１１によって検出されたＩＰアドレス及びポート番号に対応する番組供給会社を特定する。
【００５５】
集計処理部２９は、検出装置１１によって検出された視聴開始時刻及び視聴終了時刻と、番組供給会社特定部２８によって特定された番組供給会社（番組供給会社名）とに基づいて、所定時間毎の各番組供給会社の視聴数を集計した後、サプライヤ視聴率を算出する。中間データ記憶部３０は、集計処理部２９における集計処理中に生じる中間的なデータを記憶する。出力部２０ｂは、集計処理部２９によって算出されたサプライヤ視聴率を出力するものであり、例えばディスプレイ又はプリンタなどによって構成される。
【００５６】
（４）ＩＰ放送視聴測定システムの動作
次に、ＩＰ放送視聴測定システムの動作について、（４．１）概略動作シーケンス、（４．２）配信元情報の更新処理フロー、（４．３）サプライヤ視聴率の出力処理フローの順に説明する。
【００５７】
（４．１）概略動作シーケンス
図５は、ＩＰ放送視聴測定システムの概略動作を示す動作シーケンス図である。
【００５８】
ステップＳ１０１において、集計センタ２のＥＰＧ管理部２４は、ＥＰＧから番組供給会社名を抽出する。
【００５９】
ステップＳ１０２において、集計センタ２のセンタ側視聴装置２２は、当該番組供給会社名を選択して、番組コンテンツの視聴開始要求をインターネット５０に向けて送信する。
【００６０】
ステップＳ１０３において、配信サーバ３１は、集計センタ２のセンタ側視聴装置２２への番組コンテンツの配信を開始する。
【００６１】
ステップＳ１０４において、集計センタ２のセンタ側検出部２５は、配信サーバ３１のＩＰアドレス（マルチキャストアドレス及び配信元アドレス）とポート番号とを検出する。
【００６２】
ステップＳ１０５において、集計センタ２の配信元情報管理部２６は、ステップＳ１０１において抽出された番組供給会社名と、ステップＳ１０４において検出されたＩＰアドレス及びポート番号とを対応付けた配信元情報を生成する。生成された配信元情報は、配信元情報記憶部２７に記憶される。
【００６３】
一方、ステップＳ１０６において、調査世帯１内の視聴装置１３は、配信開始要求をインターネット５０に向けて送信する。その際、検出装置１１の受信部１１１は、ＬＡＮ１２上を流れる配信開始要求を受信する。ステップＳ１０７において、装置側検出部１１２は、当該配信開始要求に基づいて、視聴装置１３が視聴を開始する番組コンテンツの配信元のＩＰアドレス及びポート番号を検出するとともに、視聴開始時刻を検出する。
【００６４】
ステップＳ１０８において、配信サーバ３１は、調査世帯１内の視聴装置１３への番組コンテンツの配信を開始する。
【００６５】
ステップＳ１０９において、調査世帯１内の視聴装置１３は、配信終了要求をインターネット５０に向けて送信する。その際、検出装置１１の受信部１１１は、ＬＡＮ１２上を流れる配信終了要求を受信する。ステップＳ１１０において、装置側検出部１１２は、当該配信終了要求に基づいて、視聴終了時刻を検出する。
【００６６】
ステップＳ１１１において、検出装置１１の視聴情報記憶部１１４は、ステップＳ１０７において検出されたＩＰアドレス、ポート番号及び視聴開始時刻と、ステップＳ１１１において検出された視聴終了時刻とを含む視聴情報を記憶する。
【００６７】
ステップＳ１１２において、検出装置１１の送信部１１５は、視聴情報記憶部１１４に記憶されている視聴情報及び世帯番号を集計センタ２に送信する。集計センタ２の受信部２１は、視聴情報及び世帯番号を受信する。
【００６８】
ステップＳ１１３において、番組供給会社特定部２８は、配信元情報記憶部２７を参照し、受信部２１が受信した視聴情報に含まれるＩＰアドレス及びポート番号に対応する番組供給会社名を特定する。
【００６９】
ステップＳ１１４において、集計処理部２９は、検出装置１１によって検出された視聴開始時刻及び視聴終了時刻と、番組供給会社特定部２８によって特定された番組供給会社名とに基づいて、所定時間毎の各番組供給会社の視聴数を集計した後、サプライヤ視聴率を算出する。
【００７０】
（４．２）配信元情報の更新処理フロー
図６は、配信元情報の更新処理フローを示すフローチャートである。ここでは、配信事業者Aの配信サーバ３１からの番組供給会社名の取得方法について、番組供給会社ａを例にとり説明する。
【００７１】
ステップＳ２０１において、視聴ソフトウェアのメニュー画面操作に応じて、センタ側視聴装置２２は、EPGを表示する。
【００７２】
ステップＳ２０２において、ＥＰＧ管理部２４は、EPGデータを取込み、一時的に記憶する。
【００７３】
ステップＳ２０３において、ＥＰＧ管理部２４は、EPGデータから番組供給会社名のテキストデータを抽出可能であるか否かを判定する。EPGデータから番組供給会社名のテキストデータを抽出可能である場合には、処理がステップＳ２０３に進み、抽出不可である場合には、処理がステップＳ２０４に進む。
【００７４】
ステップＳ２０４において、入力部２０ａは、オペレータからの番組供給会社名ａの入力を受け付ける。
【００７５】
ステップＳ２０５において、ＥＰＧ管理部２４は、EPGデータより、番組供給会社名のテキストデータを抽出し、一時的に記憶する。
【００７６】
ステップＳ２０６において、センタ側視聴装置２２は、EPGの画面から、番組供給会社名ａを選択し、番組供給会社ａの視聴を開始する。
【００７７】
ステップＳ２０７において、センタ側検出部２５は、配信された番組コンテンツのマルチキャストアドレス、配信元アドレス、ポート番号（以下、適宜「ＩＰアドレス情報」と称する）を検出する。
【００７８】
ステップＳ２０８において、配信元情報管理部２６は、ステップＳ２０６において検出されたＩＰアドレス情報と、ステップＳ２０４又はステップＳ２０５において得られた番組供給会社名とを対応付けて配信元情報記憶部２７に記憶させる。この際、格納順に格納番号を付加してもよい。
【００７９】
その後、配信元情報管理部２６は、以下のような重複チェックを行う。その際、同一の番組供給会社名と判定した場合には、同一の番組供給会社名の格納番号を付加する。この一連の処理について、図７及び図８を用いて説明する。
【００８０】
図７（ａ）は、最初に配信サーバ３１から番組供給会社ａ、番組供給会社ｂの名称とＩＰアドレス情報を配信元情報記憶部２７に保存したものである。この時に重複チェックを行うが、重複する番組供給会社は無い。
【００８１】
図７（ｂ）は、配信サーバ３２からの番組供給会社ｂ、番組供給会社ｃ、番組供給会社ｄの名称とIPアドレス情報を配信元情報記憶部２７に保存したものである。ここで、図７（ａ）及び図７（ｂ）について重複チェックを行った結果を図７（ｃ）に示す。
【００８２】
図７（ｃ）では、格納番号2と1002の番組供給会社ｂが重複しているため、格納番号2のデータには重複する1002を、格納番号1002のデータには重複する2を記録する。
【００８３】
図８（ａ）は、配信サーバ３３からの番組供給会社ｂ、番組供給会社ｄ、番組供給会社ｅ、番組供給会社ｆの名称とIPアドレス情報を配信元情報記憶部２７に保存したものである。この際、ＥＰＧ管理部２４よりデータベース更新信号を受信するため、番組供給会社名を全件検索し重複チェックを行う。その結果を図８（ｂ）に示す。
【００８４】
格納番号2と1002と2001の番組供給会社ｂが重複しているため、格納番号2のデータには重複する1002と2001、格納番号1002のデータには重複する2と2001、格納番号2001のデータには重複する2と1002を記録する。
【００８５】
また、格納番号1003と2002の番組供給会社ｄが重複しているため、格納番号1003のデータには、重複する2002、格納番号2002のデータには重複する1003を記憶する。
【００８６】
上記を繰り返し行う事により、番組供給会社名をキーにした重複チェックをおこなう。なお、同一IPアドレスでの番組供給会社の変更や、別のIPアドレスへの移行は、配信元情報記憶部２７の登録内容が増やす事で対応可能である。
【００８７】
（４．３）サプライヤ視聴率の出力処理フロー
図９は、サプライヤ視聴率の出力処理フローを示すフローチャートである。
【００８８】
ステップＳ３０１において、番組供給会社特定部２８は、配信元情報記憶部２７が記憶する配信元情報を用いて、検出装置１１によって検出された視聴情報におけるＩＰアドレス情報に対応する番組供給会社名を特定する。集計処理部２９は、特定された番組供給会社名と、視聴情報とを対応付けて中間データを生成する。この世帯毎に前処理した中間データは、中間データ記憶部３０に記憶される。
【００８９】
図１０は、中間データの一例を示す図である。図１０に示す中間データにおいて、番組供給会社ｂを例にすると、配信事業者がA,Cと異なり、配信サーバが31,33と違っても、番組供給会社ｂを識別している。
【００９０】
ステップＳ３０２において、集計処理部２９は、中間データにおいて番組供給会社名に重複があるか否かを判定する。重複がある場合には、ステップＳ３０３において、集計処理部２９は、番組供給会社名単位で視聴情報をまとめる。
【００９１】
ステップＳ３０４において、集計処理部２９は、最終集計処理をするために、中間データ記憶部３０に記憶されている世帯毎の中間データを全て読み出し、集計対象世帯を番組供給会社名単位にまとめ、番組供給会社名の重複チェックをおこない、時間ごとのデータに集計する。
【００９２】
ステップＳ３０５において、集計処理部２９は、集計処理の結果、番組供給会社単位の視聴率（人気度）を示す調査レポートを発行する。なお、調査レポートは、紙媒体に印刷しても、電子データによる配信でもよい。
【００９３】
図１１は、調査レポートの一例を示す図である。なお、図１１では、番組供給会社名を単に「番組」と略記している。図１１に示す調査レポートにおいては、毎分の各番組供給会社の視聴率が記録されている。
【００９４】
（５）効果
以上説明したように、本実施形態によれば、同一の番組供給会社から供給された番組コンテンツを複数の配信サーバ３１，３２，３３が配信するような場合でも、視聴数を番組供給会社単位で測定することができるため、所定時間毎の各番組供給会社の視聴数を正確に測定できる。
【００９５】
本実施形態では、検出装置１１は、家庭内のＬＡＮ１２を介して視聴装置１３，１４が送受信するパケットに基づいて、配信元のＩＰアドレスと、視聴開始時刻と、視聴終了時刻とを検出し、検出結果を集計センタ２に送信する。家庭内のＩＰ放送の視聴状況をより確実に検出できる。また、家庭単位での測定が可能であるため、上記のように世帯別のサプライヤ視聴率を算出できる。さらに、検出装置１１に個人識別機能を付与すれば、個人別のサプライヤ視聴率を算出することもできる。
【００９６】
本実施形態では、検出装置１１は、配信開始要求を受信したタイミングに対応する時刻を視聴開始時刻として検出し、配信終了要求を受信したタイミングに対応する時刻を視聴終了時刻として検出する。したがって、視聴の開始及び終了時刻を自動且つ高精度に検出できる。
【００９７】
本実施形態では、集計センタ２は、各番組供給会社の番組コンテンツを順次選択して視聴するセンタ側視聴装置２２が番組コンテンツを視聴する際にセンタ側検出部２５が検出するＩＰアドレスと、選択されている番組供給会社とを対応付けることにより、配信元情報を生成、又は定期的に更新する。これにより、ＩＰアドレスと番組供給会社とを自動で対応付けることができる。また、このような方法で配信元情報を定期的に更新することにより、配信サーバのＩＰアドレスが変更されたような場合でも、当該変更を配信元情報に反映させることができる。
【００９８】
本実施形態では、集計センタ２は、配信元情報を更新する際、又は、視聴数を集計する際に、配信元情報において同一の番組供給会社に異なるＩＰアドレスが対応付けられている場合、当該異なるＩＰアドレスをグループ化する。このため、集計センタ２における集計処理を容易にすることができる。
【００９９】
本実施形態では、集計センタ２は、配信サーバのポート番号を配信元情報に含めて記憶し、検出装置１１は、配信元のＩＰアドレスに加え、配信元のポート番号を検出する。そして、集計センタ２は、ポート番号を含む配信元情報を用いて番組供給会社を特定する。これにより、配信サーバが配信する番組コンテンツ（及び番組供給会社）がポート番号毎に異なるような場合でも、視聴数を番組供給会社単位で測定することができる。
【０１００】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０１】
例えば、上述した実施形態では、配信元情報記憶部２７及び番組供給会社特定部２８が集計センタ２に設けられていたが、図１２に示すように、配信元情報記憶部１１６及び番組供給会社特定部１１７を検出装置１１に設けてもよい。具体的には、集計センタ２から検出装置１１に配信元情報を定期的に送信し、検出装置１１は、集計センタ２から受信した配信元情報を配信元情報記憶部１１６に記憶する。そして、検出装置１１は、ＩＰアドレスを集計センタ２に送信するのではなく、ＩＰアドレスから特定された番組供給会社名を検出結果として集計センタ２に送信する。このような構成では、集計センタ２側の処理負荷を軽減することができる。
【０１０２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１０３】
１…家庭、２…集計センタ、１１…検出装置、１２…ＬＡＮ、１３…視聴装置、１３，１４…視聴装置、２０ａ…入力部、２０ｂ…出力部、２１…受信部、２２…センタ側視聴装置、２３…送信部、２４…ＥＰＧ管理部、２５…センタ側検出部、２６…配信元情報管理部、２７…配信元情報記憶部、２８…番組供給会社特定部、２９…集計処理部、３０…中間データ記憶部、３１，３２，３３…配信サーバ、５０…インターネット、１１１…受信部、１１２…装置側検出部、１１３…時計部、１１４…視聴情報記憶部、１１５…送信部、１１６…配信元情報記憶部、１１７…番組供給会社特定部
【図１】
2010178311.tif 000003
【図２】
2010178311.tif 000004
【図３】
2010178311.tif 000005
【図４】
2010178311.tif 000006
【図５】
2010178311.tif 000007
【図６】
2010178311.tif 000008
【図７】
2010178311.tif 000009
【図８】
2010178311.tif 000010
【図９】
2010178311.tif 000011
【図１０】
2010178311.tif 000012
【図１１】
2010178311.tif 000013
【図１２】
2010178311.tif 000014